(57)【要約】非３ＧＰＰ通信エリアに位置する通信端末に対して、非３ＧＰＰ通信エリアを介して緊急情報を配信することができる通信装置を提供することを目的とする。本発明にかかる通信装置（１０）は、非３ＧＰＰネットワーク（４０）に配置された通信装置（１０）である。通信装置（１０）は、３ＧＰＰネットワーク（５０）に配置された同報配信サーバ（２０）から配信される緊急情報を受信する緊急情報受信部（１１）と、緊急情報をマルチキャストアドレスを宛先に設定して配信することによって、非３ＧＰＰネットワーク（４０）に配置された通信端末（３０）であって、事前にマルチキャストアドレスと関連付けられているマルチキャストグループに登録された通信端末（３０）に対して緊急情報を配信する緊急情報配信部（１２）と、を備えるものである。
2016147600.tif 000002
【特許請求の範囲】
【請求項１】
非３ＧＰＰネットワークに配置された通信装置であって、
３ＧＰＰネットワークに配置された同報配信サーバから配信される緊急情報を受信する緊急情報受信手段と、
前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信する緊急情報配信手段と、を備える通信装置。
【請求項２】
前記緊急情報受信手段は、
前記３ＧＰＰネットワークに配置されたＣＢＣから配信される緊急情報を受信する、請求項１に記載の通信装置。
【請求項３】
前記緊急情報受信手段は、前記ＣＢＣから配信される緊急情報を、ＰＧＷ、ＡＡＡサーバもしくはＭＭＥを介して受信する、請求項２に記載の通信装置。
【請求項４】
前記緊急情報配信手段は、
自装置が形成する無線ＬＡＮ通信エリア内に位置する前記通信端末へ、前記緊急情報を配信する、請求項１乃至３のいずれか１項に記載の通信装置。
【請求項５】
前記緊急情報配信手段は、
前記緊急情報に示される配信エリアと、前記通信装置が形成する通信エリアとを比較して、前記緊急情報を前記通信端末へ配信するか否かを判定する、請求項１乃至４のいずれか１項に記載の通信装置。
【請求項６】
非３ＧＰＰネットワークを介して通信を行う通信端末であって、
前記非３ＧＰＰネットワークに配置された通信装置が管理するマルチキャストグループへの登録を行う登録手段と、
３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信する同報配信通信手段と、を備える通信端末。
【請求項７】
前記登録手段は、
前記３ＧＰＰネットワークへＡｔｔａｃｈした際に前記３ＧＰＰネットワークに配置されたノード装置から送信された前記マルチキャストアドレスを受信する、請求項６に記載の通信端末。
【請求項８】
前記登録手段は、
前記通信端末が、前記非３ＧＰＰネットワークに配置された通信装置を介して前記３ＧＰＰネットワークに配置された認証サーバにおいて認証された後に、前記非３ＧＰＰネットワークに配置された通信装置を介して前記マルチキャストアドレスを受信する、請求項７に記載の通信端末。
【請求項９】
非３ＧＰＰネットワークに配置された通信装置における情報配信方法であって、
３ＧＰＰネットワークに配置された同報配信サーバから配信される緊急情報を受信し、
前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信する、情報配信方法。
【請求項１０】
非３ＧＰＰネットワークを介して通信を行う通信端末における情報受信方法であって、
前記非３ＧＰＰネットワークに配置された通信装置が管理するマルチキャストグループへ登録し、
３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信する、情報受信方法。
【請求項１１】
非３ＧＰＰネットワークに配置された通信装置であるコンピュータに実行させるプログラムが格納された非一時的なコンピュータ可読媒体であって、
３ＧＰＰネットワークに配置された同報配信サーバから配信される緊急情報を受信し、
前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信することをコンピュータに実行させるプログラムが格納された非一時的なコンピュータ可読媒体。
【請求項１２】
非３ＧＰＰネットワークを介して通信を行う通信端末であるコンピュータに実行させるプログラムが格納された非一時的なコンピュータ可読媒体であって、
前記非３ＧＰＰネットワークに配置された通信装置が管理するマルチキャストグループへ登録し、
３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信することをコンピュータに実行させるプログラムが格納された非一時的なコンピュータ可読媒体。
【発明の詳細な説明】
【技術分野】
【０００１】
本発明は通信装置、通信端末、情報配信方法、情報受信方法及びプログラムに関し、特に緊急情報の配信にかかる通信装置、通信端末、情報配信方法、情報受信方法及びプログラムに関する。
【背景技術】
【０００２】
地震が発生した際に、携帯電話等の通信端末へ緊急情報を配信するために、３ＧＰＰ（3rd Generation Partnership Project）において、緊急情報の配信に関する規格が定められている。３ＧＰＰにおいては、緊急情報の配信に関する規格が、ＰＷＳ（Public Warning System）として定められている。また、日本においては、ＰＷＳを用いた緊急情報の配信システムについて、ＥＴＷＳ（Earthquake and Tsunami Warning System）が定められている。【０００３】
非特許文献１には、ＥＴＷＳ及び各国において用いられるＰＷＳの仕様が規定されている。例えば、非特許文献１には、３ＧＰＰの仕様を満たす通信端末が、ｅＮＢ（evolved NodeB）を介して緊急情報を受信する構成が規定されている。
【先行技術文献】
【非特許文献】
【０００４】
【非特許文献１】３ＧＰＰ  ＴＳ２２．２６８  Ｖ１２．２．０  （２０１３−０６）
【発明の概要】
【発明が解決しようとする課題】
【０００５】
しかし、非特許文献１に定められている通信システムにおいては、３ＧＰＰの仕様を満たさない通信端末への緊急情報の配信については記載されていない。そのため、ＰＷＳもしくはＥＴＷＳにおいては、無線ＬＡＮ（Local Area Network）通信エリアに位置する通信端末等に対して、無線ＬＡＮ通信を用いた緊急情報の配信を行うことができないという問題がある。【０００６】
本発明の目的は、非３ＧＰＰ通信エリアに位置する通信端末に対して、非３ＧＰＰ通信エリアを介して緊急情報を配信することができる通信装置、通信端末、情報配信方法、情報受信方法及びプログラムを提供することにある。
【課題を解決するための手段】
【０００７】
本発明の第１の態様にかかる通信装置は、非３ＧＰＰネットワークに配置された通信装置であって、３ＧＰＰネットワークに配置された同報配信サーバから配信される緊急情報を受信する緊急情報受信部と、前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信する緊急情報配信部と、を備えるものである。【０００８】
本発明の第２の態様にかかる通信端末は、非３ＧＰＰネットワークを介して通信を行う通信端末であって、前記非３ＧＰＰネットワークに配置された通信装置が管理するマルチキャストグループへの登録を行う登録部と、３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信する同報配信通信部と、を備えるものである。【０００９】
本発明の第３の態様にかかる情報配信方法は、非３ＧＰＰネットワークに配置された通信装置における情報配信方法であって、３ＧＰＰネットワークに配置された同報配信サーバから配信される緊急情報を受信し、前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信するものである。【００１０】
本発明の第４の態様にかかる情報受信方法は、非３ＧＰＰネットワークを介して通信を行う通信端末における情報受信方法であって、前記非３ＧＰＰネットワークに配置された通信装置が管理するマルチキャストグループへ登録し、３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信するものである。【００１１】
本発明の第５の態様にかかるプログラムは、非３ＧＰＰネットワークに配置された通信装置であるコンピュータに実行させるプログラムであって、３ＧＰＰネットワークに配置された同報配信サーバから配信される緊急情報を受信し、前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信することをコンピュータに実行させるものである。
【発明の効果】
【００１２】
本発明により、非３ＧＰＰ通信エリアに位置する通信端末に対して、非３ＧＰＰ通信エリアを介して緊急情報を配信することができる通信装置、通信端末、情報配信方法、情報受信方法及びプログラムを提供することができる。
【図面の簡単な説明】
【００１３】
【図１】実施の形態１にかかる通信システムの構成図である。
【図２】実施の形態２にかかる通信システムの構成図である。
【図３】実施の形態２にかかるＵＥの構成図である。
【図４】実施の形態２にかかるＴＷＡＮ装置の構成図である。
【図５】実施の形態２にかかるマルチキャストアドレスの通知処理の流れを示す図である。
【図６】実施の形態２にかかるマルチキャストアドレスの通知処理の流れを示す図である。
【図７】実施の形態２にかかるＵＥによるマルチキャストグループへの登録処理の流れを示す図である。
【図８】実施の形態２にかかる緊急情報の配信処理の流れを示す図である。
【図９】実施の形態３にかかる通信システムの構成図である。
【図１０】実施の形態３にかかるＰＧＷの構成図である。
【図１１】実施の形態３にかかるＵＥによるマルチキャストグループへの登録処理の流れを示す図である。
【図１２】実施の形態３にかかる緊急情報の配信処理の流れを示す図である。
【図１３】実施の形態４にかかる通信システムの構成図である。
【図１４】実施の形態４にかかるＡＡＡの構成図である。
【図１５】実施の形態４にかかるＵＥによるマルチキャストグループへの登録処理の流れを示す図である。
【図１６】実施の形態４にかかる緊急情報の配信処理の流れを示す図である。
【図１７】実施の形態５にかかる通信システムの構成図である。
【図１８】実施の形態５にかかるＵＥによるマルチキャストグループへの登録処理の流れを示す図である。
【図１９】実施の形態５にかかる緊急情報の配信処理の流れを示す図である。
【発明を実施するための形態】
【００１４】
（実施の形態１）
以下、図面を参照して本発明の実施の形態について説明する。はじめに、図１を用いて本発明の実施の形態１にかかる通信システムの構成例について説明する。図１の通信システムは、通信装置１０、同報配信サーバ２０及び通信端末３０を有している。通信装置１０及び通信端末３０は、非３ＧＰＰネットワーク４０に配置されている。同報配信サーバ２０は、３ＧＰＰネットワーク５０に配置されている。
【００１５】
３ＧＰＰネットワーク５０は、３ＧＰＰにおいて規定されている通信方式において動作する装置によって構成されるネットワークである。非３ＧＰＰネットワーク４０は、例えば、無線ＬＡＮ通信方式等、３ＧＰＰにおいて規定されていない通信方式において動作する装置によって構成されるネットワークである。
【００１６】
続いて、通信装置１０の構成例について説明する。通信装置１０は、ＣＰＵ(Central Processing Unit)等のプロセッサがメモリに格納されているプログラムを実行することによって動作するコンピュータ装置であってもよい。通信装置１０は、緊急情報受信部１１及び緊急情報配信部１２を有している。緊急情報受信部１１及び緊急情報配信部１２は、プロセッサがメモリに格納されているプログラムを実行することによって実行されるソフトウェアもしくはモジュール等であってもよい。もしくは、緊急情報受信部１１及び緊急情報配信部１２は、回路等によって構成されてもよい。
【００１７】
緊急情報受信部１１は、３ＧＰＰネットワーク５０に配置された同報配信サーバ２０から配信される緊急情報を受信する。緊急情報受信部１１と同報配信サーバ２０との間は、予め定められたプロトコルを用いるインタフェースが定められてもよい。緊急情報は、例えば、地震もしくは津波等の自然災害の発生を通知する情報であってもよく、犯罪等の発生を通知する情報であってもよい。
【００１８】
緊急情報配信部１２は、非３ＧＰＰネットワーク４０に配置された通信端末３０へ、緊急情報を配信する。具体的には、緊急情報配信部１２は、通信端末３０が属するマルチキャストグループに関連づけられているマルチキャストアドレスを宛先に設定することによって、緊急情報を通信端末３０へ配信する。
【００１９】
通信端末３０は、プロセッサがメモリに格納されているプログラムを実行することによって動作するコンピュータ装置であって、携帯電話もしくはスマートフォン等であってもよい。
【００２０】
以上説明したように、図１の通信システムを用いることによって、非３ＧＰＰネットワーク４０に配置されている通信装置１０は、３ＧＰＰネットワーク５０に配置されている同報配信サーバ２０から配信される緊急情報を受信することができる。さらに、通信端末３０は、緊急情報を受信するために用いるマルチキャストアドレスグループに予め属している。そのため、通信装置１０は、緊急情報を配信する際に用いるマルチキャストアドレス宛に緊急情報を配信することによって、通信端末３０へ緊急情報を配信することができる。その結果、通信端末３０は、３ＧＰＰネットワーク５０に属していない場合であっても、通信装置１０を介して緊急情報を受信することができる。
【００２１】
（実施の形態２）
続いて、図２を用いて本発明の実施の形態２にかかる通信システムの構成例について説明する。図２の通信システムは、図１の通信システムと同様に非３ＧＰＰネットワーク４０及び３ＧＰＰネットワーク５０を有している。３ＧＰＰネットワーク５０は、複数のＵＥ（User Equipment）６０、ｅＮＢ（evolved NodeB）８０、ＭＭＥ（Mobility Management Entity）９０及びＣＢＣ（Cell Broadcast Centre）１００を有している。また、ＣＢＣ１００は、ＣＢＥ（Cell Broadcast Entity）１２０と接続している。
【００２２】
ＵＥ６０は、３ＧＰＰにおいてユーザが用いる通信端末の総称である。ｅＮＢ８０は、３ＧＰＰにおいて規定されているＬＴＥ（Long Term Evolution）を用いた無線通信を行う基地局である。ＭＭＥ９０は、ＵＥ６０に関する呼制御を行う装置である。例えば、ＭＭＥ９０は、ＵＥ６０と他のＵＥとの間におけるデータの通信経路の設定、及び、ＵＥ６０の移動管理制御等を行う。
【００２３】
ＣＢＣ１００は、ＣＢＥ１２０から指示された配信エリアへＣＢＥ１２０において生成された緊急情報の配信を行う。例えば、ＣＢＣ１００は、ＣＢＥ１２０において配信エリアとして特定の地域を指定された場合に、ＣＢＥ１２０に指定された地域へ緊急情報を配信することができるｅＮＢ８０を特定する。さらに、ＣＢＣ１００は、特定したｅＮＢ８０が形成する通信エリアに属するＵＥ６０へ緊急情報を配信する。ＣＢＥ１２０は、例えば、地震もしくは津波等を監視する行政庁が管理するサーバ装置等であってもよい。
【００２４】
さらに、ＣＢＣ１００は、特定した地域へ緊急情報を配信することができるＴＷＡＮ（Trusted Wireless Lan Access Network）装置１１０を特定し、特定したＴＷＡＮ装置１１０が形成する通信エリアに属するＵＥ７０へ緊急情報を配信する。
【００２５】
非３ＧＰＰネットワーク４０は、ＵＥ７０及びＴＷＡＮ（Trusted Wireless Lan Access Network）装置１１０を有している。ＵＥ７０は、３ＧＰＰネットワーク５０を経由した通信及びＴＷＡＮ装置１１０を経由した通信を行う能力を具備したＵＥである。本図においては、ＵＥ７０は、３ＧＰＰ無線通信エリアの圏外に位置している事などの理由で３ＧＰＰネットワーク５０を経由した通信が行えない一方、非３ＧＰＰネットワーク４０を用いて通信が可能である例について説明する。
【００２６】
ＴＷＡＮ装置１１０は、無線ＬＡＮ通信エリアを形成するアクセスポイントであってもよい。ＴＷＡＮ装置１１０が形成する無線ＬＡＮ通信エリア内に位置するＵＥ７０は、ＴＷＡＮ装置１１０を介してＣＢＣ１００から配信される緊急情報を受信することができる。さらに、ＴＷＡＮ装置１１０は、マルチキャスト通信を行うことによって、ＵＥ７０へ緊急情報を配信する。また、ＴＷＡＮ装置１１０は、３ＧＰＰネットワーク５０を管理する通信事業者から信頼された装置、言い換えると、通信事業者によって管理される装置であってもよい。
【００２７】
また、ＵＥ７０は、３ＧＰＰ無線通信エリア内に形成された無線ＬＡＮ通信エリアに位置する場合、無線ＬＡＮ通信エリアを形成するアクセスポイント等から緊急情報を受信してもよい。ＵＥ７０が、３ＧＰＰ無線通信エリアと無線ＬＡＮ通信エリアとの両方において緊急情報を受けることもあるが、このような場合は、どちらか一方の緊急情報を廃棄してもよい。
【００２８】
続いて、図３を用いて本発明の実施の形態２にかかるＵＥ７０の構成例について説明する。ＵＥ７０は、３ＧＰＰ通信部７１、ＷＬＡＮ（Wireless LAN）通信部７２、緊急情報処理制御部７３、登録部７４、緊急通知表示部７５及び緊急通知部７６を有している。３ＧＰＰ通信部７１、ＷＬＡＮ通信部７２、緊急情報処理制御部７３、登録部７４、緊急通知表示部７５及び緊急通知部７６は、ＵＥ７０のプロセッサがメモリに格納されているプログラムを実行することによって動作するソフトウェアもしくはモジュール等であってもよい。もしくは、３ＧＰＰ通信部７１、ＷＬＡＮ通信部７２、緊急情報処理制御部７３、登録部７４、緊急通知表示部７５及び緊急通知部７６は、回路等によって構成されてもよい。
【００２９】
３ＧＰＰ通信部７１は、３ＧＰＰにおいて規定された無線基地局と通信を行う。３ＧＰＰにおいて規定された無線基地局は、例えば、ｅＮＢ８０であってもよい。ＷＬＡＮ通信部７２は、無線ＬＡＮ通信を利用してＴＷＡＮ装置１１０と通信を行う。無線ＬＡＮ通信は、例えば、ＩＥＥＥ（The Institute of Electrical and Electronics Engineers）８０２において定められている通信方式を用いてもよい。
【００３０】
緊急情報処理制御部７３は、ＣＢＣ１００から配信される緊急情報を３ＧＰＰ通信部７１もしくはＷＬＡＮ通信部７２を介して受信する。例えば、ＵＥ７０は、ｅＮＢ８０が形成する通信エリア内に位置する場合、３ＧＰＰ通信部７１を介して緊急情報を受信してもよい。ＵＥ７０は、ＴＷＡＮ装置１１０が形成する無線ＬＡＮ通信エリア内に位置する場合、ＷＬＡＮ通信部７２を介して緊急情報を受信してもよい。また、ＵＥ７０は、ｅＮＢ８０が形成する通信エリアとＴＷＡＮ装置１１０が形成する無線ＬＡＮ通信エリアとの重複するエリアに位置する場合、２つの無線システムから同一の緊急情報を受信する場合がある。その場合、緊急情報処理制御部７３は、配信された緊急情報のメッセージ識別子などを参照することで緊急情報の重複受信を認識するとともに、３ＧＰＰ通信部７１及びＷＬＡＮ通信部７２のどちらか一方から受信した緊急情報を廃棄してもよい。
【００３１】
緊急情報処理制御部７３は、３ＧＰＰ通信部７１もしくはＷＬＡＮ通信部７２を介して受け取った緊急情報を、緊急通知表示部７５もしくは緊急通知部７６へ出力する。
【００３２】
緊急通知表示部７５は、緊急情報処理制御部７３から受けとった緊急情報をディスプレイに表示させることによって、ＵＥ７０を保持するユーザへ緊急情報を認識させる。緊急通知表示部７５は、３ＧＰＰ通信部７１から受け取った緊急情報を表示する際の表示フォーマットを、ＷＬＡＮ通信部７２から受け取った緊急情報を表示する際の表示フォーマットと異なるようにしてもよく、同じにしてもよい。
【００３３】
緊急通知部７６は、緊急情報処理制御部７３から緊急情報を受け取ると、予め定められた音や振動を出力することによって、ＵＥ７０を保持するユーザへ緊急情報を認識させる。緊急通知部７６は、３ＧＰＰ通信部７１から緊急情報を受け取った際に出力する音や振動を、ＷＬＡＮ通信部７２から緊急情報を受け取った際に出力する音や振動と異なるようにしてもよく、同じにしてもよい。
【００３４】
登録部７４は、ＷＬＡＮ通信部７２を介して緊急情報を受信する際に必要となるマルチキャストグループへの登録処理を実行する。登録部７４は、３ＧＰＰ通信部７１を介して３ＧＰＰネットワーク５０へ接続した場合、つまり、３ＧＰＰネットワーク５０へＡｔｔａｃｈした場合に、ｅＮＢ８０から、緊急情報の宛先に設定されるマルチキャストアドレスに関する情報を受け取る。または、マルチキャストアドレスに関する情報は、ＵＥ７０が非３ＧＰＰネットワーク４０にアクセスする際に行われる加入者認証時、３ＧＰＰネットワーク５０内に配置されるＡＡＡ（Authentication Authorization Accounting）サーバからＥＡＰ（Extensible Authentication Protocol）メッセージを用いてＵＥ７０に通知されても良い。または、マルチキャストアドレスに関する情報は、３ＧＰＰネットワーク５０の外部網に位置するＡＮＤＳＦ（Access Network Discovery and Selection Function）サーバからユーザプレーンを用いてＵＥ７０に通知されても良い。さらに、登録部７４は、ＷＬＡＮ通信部７２を介して、ＴＷＡＮ装置１１０に対して、受け取ったマルチキャストアドレスに関連づけられているマルチキャストグループへの登録を行う。例えば、登録部７４は、ＩＧＭＰ（Internet Group Management Protocol）もしくはＭＬＤ（Multicast Listener Discovery）等の処理を実行することによってＴＷＡＮ装置１１０が管理するマルチキャストグループへ登録を行う。
【００３５】
続いて、図４を用いて本発明の実施の形態２にかかるＴＷＡＮ装置１１０の構成例について説明する。ＴＷＡＮ装置１１０は、無線ＬＡＮ通信部１１１、緊急情報処理部１１２、加入者認証部１１３及びゲートウェイ通信部１１４を有している。ＴＷＡＮ装置１１０は、無線ＬＡＮ通信部１１１、緊急情報処理部１１２、加入者認証部１１３及びゲートウェイ通信部１１４は、ＴＷＡＮ装置１１０のプロセッサがメモリに格納されているプログラムを実行することによって動作するソフトウェアもしくはモジュール等であってもよい。もしくは、無線ＬＡＮ通信部１１１、緊急情報処理部１１２、加入者認証部１１３及びゲートウェイ通信部１１４は、回路等によって構成されてもよい。
【００３６】
緊急情報処理部１１２は、ＣＢＣ１００から配信された緊急情報を受信する。緊急情報処理部１１２は、受信した緊急情報を無線ＬＡＮ通信部１１１へ出力する。加入者認証部１１３は、ＴＷＡＮ装置１１０が形成する無線ＬＡＮ通信エリア内に存在するＵＥ７０に関する認証処理を行う。例えば、加入者認証部１１３は、３ＧＰＰネットワーク５０内に配置されるＡＡＡサーバもしくはＨＳＳ（Home Subscriber Server）等とＵＥ７０に関する認証処理を行う。さらに、加入者認証部１１３は、マルチキャストグループを管理する。例えば、加入者認証部１１３は、ＴＷＡＮ装置１１０が形成する通信エリア内に位置するＵＥ７０であって、ＵＥ７０からマルチキャストグループへの登録要求が通知された場合に、マルチキャストグループとＵＥ７０とを関連づけて管理する。
【００３７】
ゲートウェイ通信部１１４は、３ＧＰＰネットワーク５０内に配置されるゲートウェイ装置との間において、例えば、ユーザデータを送受信する。３ＧＰＰネットワーク５０内に配置されるゲートウェイ装置は、例えば、ＰＧＷ（Packet data network Gateway）であってもよい。
【００３８】
無線ＬＡＮ通信部１１１は、ＵＥ７０と無線ＬＡＮ通信を行う。さらに、無線ＬＡＮ通信部１１１は、緊急情報処理部１１２から緊急情報が出力された場合に、マルチキャストアドレスを宛先として、緊急情報を送信する。マルチキャストアドレスを宛先として送信された緊急情報は、加入者認証部１１３においてマルチキャストグループと関連付けられて管理されているＵＥ７０へ配信される。
【００３９】
続いて、図５を用いてマルチキャストアドレスの通知処理の流れについて説明する。はじめに、ＵＥ７０は、３ＧＰＰネットワーク５０内において電源をＯＮ状態へ遷移させる（Ｓ１１）。次に、ＵＥ７０は、ｅＮＢ８０へAttach requestメッセージを送信する（Ｓ１２）。次に、ｅＮＢ８０は、ＵＥ７０から送信されたAttach requestメッセージをＭＭＥ９０へ送信する（Ｓ１３）。以降、ＵＥ７０とＭＭＥ９０との間において、ＵＥ７０に関するＡｔｔａｃｈ処理が実行される。Ａｔｔａｃｈ処理の詳細については説明を省略する。
【００４０】
ＭＭＥ９０は、Ａｔｔａｃｈ処理中に実行される認証処理を完了すると、ｅＮＢ８０へマルチキャストアドレスを設定したInitial Context Setup Request/ ATTACH acceptメッセージを送信する（Ｓ１４）。Initial Context Setup Request/ ATTACH acceptメッセージに設定されたマルチキャストアドレスは、ＵＥ７０が、ＴＷＡＮ装置１１０が形成する無線ＬＡＮ通信エリア内に位置する場合に、緊急情報を受信する際に必要となるアドレスである。
【００４１】
次に、ｅＮＢ８０は、Initial Context Setup Request/ ATTACH acceptメッセージを受信すると、RRC Connection Reconfiguration/ ATTACH acceptメッセージをＵＥ７０へ送信する（Ｓ１５）。ｅＮＢ８０は、Initial Context Setup Request/ ATTACH acceptメッセージに設定されたマルチキャストアドレスをRRC Connection Reconfiguration/ ATTACH acceptメッセージへ設定する。マルチキャストアドレスに関する情報は、ATTACH acceptメッセージに設定されるＰＣＯ（Protocol Configuration Option）パラメータを用いてＭＭＥ９０からＵＥ７０へ通知されてもよい。
【００４２】
以上説明したように、ＵＥ７０は、３ＧＰＰネットワーク５０へのＡｔｔａｃｈ処理において、ＴＷＡＮ装置１１０が形成する無線ＬＡＮ通信エリア内において緊急情報を受信するために必要なマルチキャストアドレスを受け取ることができる。
【００４３】
続いて、図６を用いて、図５とは異なるマルチキャストアドレスの通知処理の流れについて説明する。図５においては、ＵＥ７０が、３ＧＰＰネットワーク５０に配置されたｅＮＢ８０を介してマルチキャストアドレスを受け取る場合の処理の流れについて説明したが、図６においては、ＵＥ７０が、ＴＷＡＮ装置１１０を介してマルチキャストアドレスを受け取る場合の処理の流れについて説明する。
【００４４】
図６においては、３ＧＰＰネットワーク５０に配置されたＡＡＡサーバ及びＨＳＳにおいて、ＴＷＡＮ装置１１０が形成する通信エリア内に位置するＵＥ７０に関する認証処理が実行されたことを前提とする。つまり、ＡＡＡサーバ及びＨＳＳは、ＵＥ７０がＴＷＡＮ装置１１０を介して３ＧＰＰネットワーク５０を利用することができるか否かに関する認証を行う。ここでは、ＡＡＡサーバ及びＨＳＳは、ＵＥ７０が、ＴＷＡＮ装置１１０を介して３ＧＰＰネットワーク５０を利用することを許可することを決定したとする。
【００４５】
この場合、ＡＡＡサーバは、ＴＷＡＮ装置１１０へＡＡＡ（ＥＡＰ（PPP Extensible Authentication Protocol）−Ｓｕｃｃｅｓｓ）メッセージを送信する（Ｓ２１）。さらに、ＡＡＡサーバは、ＡＡＡ（ＥＡＰ−Ｓｕｃｃｅｓｓ）メッセージにマルチキャストアドレスを設定する。
【００４６】
次に、ＴＷＡＮ装置１１０は、ＥＡＰ−ＳｕｃｃｅｓｓメッセージをＵＥ７０へ送信する（Ｓ２２）。ＴＷＡＮ装置１１０は、ＡＡＡ（ＥＡＰ−Ｓｕｃｃｅｓｓ）メッセージに設定されたマルチキャストアドレスを、ＥＡＰ−Ｓｕｃｃｅｓｓメッセージに設定する。ＵＥ７０は、ＥＡＰ−Ｓｕｃｃｅｓｓメッセージを受信することによって、ＴＷＡＮ装置１１０が形成する無線ＬＡＮ通信エリア内において緊急情報を受信するために必要なマルチキャストアドレスを受け取ることができる。マルチキャストアドレスに関する情報は、ＥＡＰ−Ｓｕｃｃｅｓｓメッセージに設定されるＰＣＯパラメータを用いてＴＷＡＮ装置１１０からＵＥ７０へ通知されてもよい。
【００４７】
続いて、図７を用いて本発明の実施の形態２にかかるＵＥ７０によるマルチキャストグループへの登録処理の流れについて説明する。図７においては、ＴＷＡＮ装置１１０と３ＧＰＰネットワーク５０に配置されたＰＧＷとの間のセッションの設定が完了し、さらに、ＵＥ７０は、マルチキャストアドレスを取得していることを前提とする。例えば、ＴＷＡＮ装置１１０とＰＧＷとの間のセッションの設定とは、ＴＷＡＮ装置１１０とＰＧＷとの間においてデータを送受信する際に用いられるＧＴＰ（General Packet Radio Service Tunneling Protocol） Ｔｕｎｎｅｌの設定であってもよい。
【００４８】
ＴＷＡＮ装置１１０とＰＧＷとの間のセッションの設定が完了すると、ＵＥ７０は、ＴＷＡＮ装置１１０に対して、自装置が保持するマルチキャストアドレスに関連づけられたマルチキャストグループへの登録を行う（Ｓ３１）。例えば、ＵＥ７０は、ＩＧＭＰもしくはＭＬＤ手順によってＴＷＡＮ装置１１０が管理するマルチキャストグループへの登録を行う。
【００４９】
続いて、図８を用いて本発明の実施の形態２にかかる緊急情報の配信処理の流れについて説明する。図８においては、ＵＥ７０は、ＴＷＡＮ装置１１０が管理するマルチキャストグループへの登録を完了している状態とする。
【００５０】
はじめに、ＣＢＥ１２０は、緊急情報の配信を指示するEmergency Broadcast RequestメッセージをＣＢＣ１００へ送信する（Ｓ４１）。次に、ＣＢＣ１００は、ＴＷＡＮ装置１１０へ緊急情報の配信を指示するWrite-Replace Warning Requestメッセージを送信する（Ｓ４２）。ＣＢＣ１００は、ＴＷＡＮ装置１１０との間において、予め定められたプロトコルを用いて、Write-Replace Warning RequestメッセージをＴＷＡＮ装置１１０へ送信する。言い換えると、ＣＢＣ１００は、ＴＷＡＮ装置１１０との間において予め定められたインタフェースを用いて、Write-Replace Warning RequestメッセージをＴＷＡＮ装置１１０へ送信する。ＣＢＣ１００とＴＷＡＮ装置１１０との間のインタフェースは、例えば、３ＧＰＰにおいて定められたインタフェースであってもよい。
【００５１】
ＴＷＡＮ装置１１０は、Write-Replace Warning Requestメッセージに含まれる緊急情報を同報するエリア情報（Warning Area Information）と、自装置が形成する通信エリアの地理的位置を比較する。ＴＷＡＮ装置１１０は、自装置が形成する通信エリアが、Warning Area Informationに示されるエリアに含まれる場合、マルチキャストアドレスを宛先として緊急情報を同報配信する（Ｓ４３）。自装置が形成する通信エリアは、無線ＬＡＮ通信部１１１毎に決定しても良い。
【００５２】
ＴＷＡＮ装置１１０がマルチキャストアドレスを宛先として緊急情報を同報配信することによって、マルチキャストアドレスに関連付けられたマルチキャストグループに属するＵＥ７０へ緊急情報が配信される。
【００５３】
次に、ＴＷＡＮ装置１１０は、Write-Replace Warning Requestメッセージに対する応答メッセージとして、Write-Replace Warning ConfirmメッセージをＣＢＣ１００へ送信する（Ｓ４４）。次に、ＣＢＣ１００は、Emergency Broadcast Requestメッセージへの応答メッセージとして、Emergency Broadcast ResponseメッセージをＣＢＥ１２０へ送信する（Ｓ４５）。
【００５４】
以上説明したように、本発明の実施の形態２にかかる通信システムを用いることによって、ＣＢＣ１００は、予め定められたインタフェースを介して緊急情報をＴＷＡＮ装置１１０へ送信することができる。さらに、ＵＥ７０は、事前に緊急情報配信用のマルチキャストアドレスを取得し、緊急情報配信用のマルチキャストアドレスに関連付けられたマルチキャストグループに登録することができる。そのため、ＴＷＡＮ装置１１０が、マルチキャストアドレスを宛先としてＣＢＣ１００から送信された緊急情報を送信することによって、ＵＥ７０へ緊急情報を配信することができる。
【００５５】
これより、ＵＥ７０は、３ＧＰＰネットワーク５０を介して緊急情報を受信する場合のみならず、ＴＷＡＮ装置１１０を介してもＣＢＣ１００から配信される緊急情報を受信することができる。
【００５６】
（実施の形態３）
続いて、図９を用いて本発明の実施の形態３にかかる通信システムの構成例について説明する。図９の通信システムは、図２の通信システムにおいて、ＴＷＡＮ装置１１０とＣＢＣ１００との間にＰＧＷ（Packet Data Network Gateway）が配置された構成である。図９の通信システムのその他の構成は、図２と同様であるため詳細な説明を省略する。
【００５７】
ＰＧＷ１３０は、３ＧＰＰネットワーク５０内に配置される。ＣＢＣ１００は、ＰＧＷ１３０との間において、予め定められたプロトコルを用いて、緊急情報をＰＧＷ１３０へ送信する。さらに、ＰＧＷ１３０は、予め定められたプロトコルを用いて、ＣＢＣ１００から送信された緊急情報をＴＷＡＮ装置１１０へ送信する。ＰＧＷ１３０は、ＧＴＰプロトコル、ＧＴＰプロトコルを用いたユーザプレーンデータ、あるいはＰＭＩＰ（Proxy Mobile IP）プロトコルを用いて、ＣＢＣ１００から送信された緊急情報をＴＷＡＮ装置１１０へ送信しても良い。
【００５８】
続いて、図１０を用いて本発明の実施の形態３にかかるＰＧＷ１３０の構成例について説明する。ＰＧＷ１３０は、緊急通報処理部１３１、制御信号処理部１３２及びユーザプレーン処理部１３３を有している。緊急通報処理部１３１、制御信号処理部１３２及びユーザプレーン処理部１３３は、ＰＧＷ１３０のプロセッサがメモリに格納されているプログラムを実行することによって動作するソフトウェアもしくはモジュール等であってもよい。もしくは、緊急通報処理部１３１、制御信号処理部１３２及びユーザプレーン処理部１３３は、回路等によって構成されてもよい。
【００５９】
ユーザプレーン処理部１３３は、インターネット等の外部ネットワークとの間においてユーザデータを送受信する。さらに、ユーザプレーン処理部１３３は、ＴＷＡＮ装置１１０との間においても、ユーザデータを送受信する。
【００６０】
緊急通報処理部１３１は、ＣＢＣ１００から送信された緊急情報を受信する。制御信号処理部１３２は、ＣＢＣ１００から送信された緊急情報を制御情報として、ＴＷＡＮ装置１１０へ送信する。
【００６１】
続いて、図１１を用いて本発明の実施の形態３にかかるＵＥ７０によるマルチキャストグループへの登録処理の流れについて説明する。図１１においては、ＴＷＡＮ装置１１０と３ＧＰＰネットワーク５０に配置されたＰＧＷ１３０との間のセッションの設定が完了し、さらに、ＵＥ７０は、マルチキャストアドレスを取得していることを前提とする。例えば、ＴＷＡＮ装置１１０とＰＧＷとの間のセッションの設定とは、ＴＷＡＮ装置１１０とＰＧＷ１３０との間においてデータを送受信する際に用いられるＧＴＰ Ｔｕｎｎｅｌの設定であってもよい。
【００６２】
ステップＳ５１は、図７のステップＳ３１と同様であるため詳細な説明を省略する。ＴＷＡＮ装置１１０は、ＵＥ７０のマルチキャストグループへの登録処理を完了すると、ＰＧＷ１３０へ、ＵＥ７０が緊急情報を配信するためのマルチキャストグループに登録されたことを通知する、マルチキャストグループ登録通知メッセージを送信する（Ｓ５２）。マルチキャストグループ登録通知メッセージは、例えば、ＧＴＰメッセージもしくはＰＭＩＰメッセージ等であってもよい。
【００６３】
次に、ＰＧＷ１３０は、マルチキャストグループ登録通知メッセージへの応答として、AcknowledgeメッセージをＴＷＡＮ装置１１０へ送信する（Ｓ５３）。
【００６４】
続いて、図１２を用いて本発明の実施の形態３にかかる緊急情報の配信処理の流れについて説明する。図１２においては、ＵＥ７０は、ＴＷＡＮ装置１１０が管理するマルチキャストグループへの登録を完了している状態とする。
【００６５】
はじめに、ＣＢＥ１２０は、緊急情報の配信を指示するEmergency Broadcast RequestメッセージをＣＢＣ１００へ送信する（Ｓ６１）。次に、ＣＢＣ１００は、ＰＧＷ１３０へ緊急情報の配信を指示するWrite-Replace Warning Requestメッセージを送信する（Ｓ６２）。ＣＢＣ１００は、ＰＧＷ１３０との間において、予め定められたプロトコルを用いて、Write-Replace Warning RequestメッセージをＰＧＷ１３０へ送信する。言い換えると、ＣＢＣ１００は、ＰＧＷ１３０との間において予め定められたインタフェースを用いて、Write-Replace Warning RequestメッセージをＰＧＷ１３０へ送信する。ＣＢＣ１００とＰＧＷ１３０との間のインタフェースは、例えば、３ＧＰＰにおいて定められたインタフェースであってもよい。
【００６６】
次に、ＰＧＷ１３０は、ＴＷＡＮ装置１１０との間において、予め定められたプロトコルを用いてWrite-Replace Warning RequestメッセージをＴＷＡＮ装置１１０へ送信する。言い換えると、ＰＧＷ１３０は、ＴＷＡＮ装置１１０との間において予め定められたインタフェースを用いて、Write-Replace Warning RequestメッセージをＴＷＡＮ装置１１０へ送信する。ＰＧＷ１３０とＴＷＡＮ装置１１０との間のインタフェースは、例えば、３ＧＰＰにおいて定められたインタフェースであってもよい。
【００６７】
ＴＷＡＮ装置１１０は、Write-Replace Warning Requestメッセージに含まれる緊急情報を同報するエリア情報（Warning Area Information）と、自装置が形成する通信エリアの地理的位置を比較する。ＴＷＡＮ装置１１０は、自装置が形成する通信エリアが、Warning Area Informationに示されるエリアに含まれる場合、マルチキャストアドレスを宛先として緊急情報を同報配信する（Ｓ６４）。
【００６８】
ＴＷＡＮ装置１１０がマルチキャストアドレスを宛先として緊急情報を同報配信することによって、マルチキャストアドレスに関連付けられたマルチキャストグループに属するＵＥ７０へ緊急情報が配信される。
【００６９】
次に、ＴＷＡＮ装置１１０は、Write-Replace Warning Requestメッセージに対する応答メッセージとして、Write-Replace Warning ConfirmメッセージをＰＧＷ１３０へ送信する（Ｓ６５）。次に、ＰＧＷ１３０は、Write-Replace Warning Requestメッセージに対する応答メッセージとして、Write-Replace Warning ConfirmメッセージをＣＢＣ１００へ送信する（Ｓ６６）。
【００７０】
次に、ＣＢＣ１００は、Emergency Broadcast Requestメッセージへの応答メッセージとして、Emergency Broadcast ResponseメッセージをＣＢＥ１２０へ送信する（Ｓ６７）。
【００７１】
以上説明したように、本発明の実施の形態３にかかる通信システムを用いることによって、ＣＢＣ１００は、予め定められたインタフェースを介して緊急情報をＰＧＷ１３０を介してＴＷＡＮ装置１１０へ送信することができる。さらに、ＵＥ７０は、事前に緊急情報配信用のマルチキャストアドレスを取得し、緊急情報配信用のマルチキャストアドレスに関連付けられたマルチキャストグループに登録することができる。そのため、ＴＷＡＮ装置１１０が、マルチキャストアドレスを宛先としてＣＢＣ１００から送信された緊急情報を送信することによって、ＵＥ７０へ緊急情報を配信することができる。
【００７２】
これより、ＵＥ７０は、３ＧＰＰネットワーク５０を介して緊急情報を受信する場合のみならず、ＴＷＡＮ装置１１０を介してもＣＢＣ１００から配信される緊急情報を受信することができる。
【００７３】
（実施の形態４）
続いて、図１３を用いて本発明の実施の形態４にかかる通信システムの構成例について説明する。図１３の通信システムは、図９の通信システムにおいて、ＰＧＷ１３０の代わりにＡＡＡサーバ１４０が配置された構成である。図１３の通信システムのその他の構成は、図９と同様であるため詳細な説明を省略する。
【００７４】
ＡＡＡサーバ１４０は、３ＧＰＰネットワーク５０内に配置される。ＣＢＣ１００は、ＡＡＡサーバ１４０との間において、予め定められたプロトコルを用いて、緊急情報をＡＡＡサーバ１４０へ送信する。さらに、ＡＡＡサーバ１４０は、予め定められたプロトコルを用いて、ＣＢＣ１００から送信された緊急情報をＴＷＡＮ装置１１０へ送信する。
【００７５】
続いて、図１４を用いて本発明の実施の形態３にかかるＡＡＡサーバ１４０の構成例について説明する。ＡＡＡサーバ１４０は、緊急通報処理部１４１及び加入者認証部１４２を有している。緊急通報処理部１４１及び加入者認証部１４２は、ＡＡＡサーバ１４０のプロセッサがメモリに格納されているプログラムを実行することによって動作するソフトウェアもしくはモジュール等であってもよい。もしくは、緊急通報処理部１４１及び加入者認証部１４２は、回路等によって構成されてもよい。
【００７６】
緊急通報処理部１４１は、ＣＢＣ１００から送信された緊急情報を受信する。緊急通報処理部１４１は、ＣＢＣ１００から送信された緊急情報を制御情報として、ＴＷＡＮ装置１１０へ送信する。加入者認証部１４２は、ＨＳＳと連携して、ＵＥ６０及びＵＥ７０等に関する認証処理を実行する。
【００７７】
続いて、図１５を用いて本発明の実施の形態４にかかるＵＥ７０によるマルチキャストグループへの登録処理の流れについて説明する。図１５においては、ＴＷＡＮ装置１１０と３ＧＰＰネットワーク５０に配置されたＰＧＷとの間のセッションの設定が完了し、さらに、ＵＥ７０は、マルチキャストアドレスを取得していることを前提とする。例えば、ＴＷＡＮ装置１１０とＰＧＷとの間のセッションの設定とは、ＴＷＡＮ装置１１０とＰＧＷとの間においてデータを送受信する際に用いられるＧＴＰ Ｔｕｎｎｅｌの設定であってもよい。
【００７８】
ステップＳ７１は、図７のステップＳ３１と同様であるため詳細な説明を省略する。ＴＷＡＮ装置１１０は、ＵＥ７０のマルチキャストグループへの登録処理を完了すると、ＡＡＡサーバ１４０へ、ＵＥ７０が緊急情報を配信するためのマルチキャストグループに登録されたことを通知する、マルチキャストグループ登録通知メッセージを送信する（Ｓ７２）。マルチキャストグループ登録通知メッセージは、例えば、DIAMETERメッセージもしくはRadiusメッセージ等であってもよい。
【００７９】
次に、ＡＡＡサーバ１４０は、マルチキャストグループ登録通知メッセージへの応答として、AcknowledgeメッセージをＴＷＡＮ装置１１０へ送信する（Ｓ７３）。
【００８０】
続いて、図１６を用いて本発明の実施の形態４にかかる緊急情報の配信処理の流れについて説明する。図１６においては、図１２におけるＰＧＷ１３０が、ＡＡＡサーバ１４０に置き換えられている以外は、図１２における処理と同様である。そのため、図１６の詳細な説明を省略する。
【００８１】
以上説明したように、本発明の実施の形態３にかかる通信システムを用いることによって、ＣＢＣ１００は、予め定められたインタフェースを介して緊急情報をＡＡＡサーバ１４０を介してＴＷＡＮ装置１１０へ送信することができる。さらに、ＵＥ７０は、事前に緊急情報配信用のマルチキャストアドレスを取得し、緊急情報配信用のマルチキャストアドレスに関連付けられたマルチキャストグループに登録することができる。そのため、ＴＷＡＮ装置１１０が、マルチキャストアドレスを宛先としてＣＢＣ１００から送信された緊急情報を送信することによって、ＵＥ７０へ緊急情報を配信することができる。
【００８２】
これより、ＵＥ７０は、３ＧＰＰネットワーク５０を介して緊急情報を受信する場合のみならず、ＴＷＡＮ装置１１０を介してもＣＢＣ１００から配信される緊急情報を受信することができる。
【００８３】
（実施の形態５）
続いて、図１７を用いて本発明の実施の形態５にかかる通信システムの構成例について説明する。図１７の通信システムは、図１３の通信システムから、ＡＡＡサーバ１４０が削除され、ＭＭＥ９０とＴＷＡＮ装置１１０とが接続されている。
【００８４】
ＭＭＥ９０は、ＣＢＣ１００から送信された緊急情報を、予め定められたプロトコルを用いて、ＴＷＡＮ装置１１０へ送信する。
【００８５】
続いて、図１８を用いて本発明の実施の形態５にかかるＵＥ７０によるマルチキャストグループへの登録処理の流れについて説明する。図１８においては、ＴＷＡＮ装置１１０と３ＧＰＰネットワーク５０に配置されたＰＧＷとの間のセッションの設定が完了し、さらに、ＵＥ７０は、マルチキャストアドレスを取得していることを前提とする。例えば、ＴＷＡＮ装置１１０とＰＧＷとの間のセッションの設定とは、ＴＷＡＮ装置１１０とＰＧＷとの間においてデータを送受信する際に用いられるＧＴＰ Ｔｕｎｎｅｌの設定である。
【００８６】
ステップＳ９１は、図７のステップＳ３１と同様であるため詳細な説明を省略する。ＴＷＡＮ装置１１０は、ＵＥ７０のマルチキャストグループへの登録処理を完了すると、ＭＭＥ９０へ、ＵＥ７０が緊急情報を配信するためのマルチキャストグループに登録されたことを通知する、マルチキャストグループ登録通知メッセージを送信する（Ｓ９２）。マルチキャストグループ登録通知メッセージは、３ＧＰＰにおいて定められるプロトコルを用いたメッセージであってもよい。
【００８７】
次に、ＭＭＥ９０は、マルチキャストグループ登録通知メッセージへの応答として、AcknowledgeメッセージをＴＷＡＮ装置１１０へ送信する（Ｓ９３）。
【００８８】
続いて、図１９を用いて本発明の実施の形態５にかかる緊急情報の配信処理の流れについて説明する。図１９においては、図１２におけるＰＧＷ１３０が、ＭＭＥ９０に置き換えられている以外は、図１２における処理と同様である。そのため、図１９の詳細な説明を省略する。
【００８９】
以上説明したように、本発明の実施の形態５にかかる通信システムを用いることによって、ＣＢＣ１００は、予め定められたインタフェースを介して緊急情報をＭＭＥ９０を介してＴＷＡＮ装置１１０へ送信することができる。さらに、ＵＥ７０は、事前に緊急情報配信用のマルチキャストアドレスを取得し、緊急情報配信用のマルチキャストアドレスに関連付けられたマルチキャストグループに登録することができる。そのため、ＴＷＡＮ装置１１０が、マルチキャストアドレスを宛先としてＣＢＣ１００から送信された緊急情報を送信することによって、ＵＥ７０へ緊急情報を配信することができる。
【００９０】
これより、ＵＥ７０は、３ＧＰＰネットワーク５０内に位置する場合のみならず、ＴＷＡＮ装置１１０を介してもＣＢＣ１００から配信される緊急情報を受信することができる。
【００９１】
上述の実施の形態では、本発明をハードウェアの構成として説明したが、本発明は、これに限定されるものではない。本発明は、通信端末（例えば、ＵＥ７０等）、通信装置（例えば、ＴＷＡＮ装置１１０等）及び３ＧＰＰネットワークに配置される各ノード装置における処理を、ＣＰＵ（Central Processing Unit）にコンピュータプログラムを実行させることにより実現することも可能である。
【００９２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９３】
なお、本発明は上記実施の形態に限られたものではなく、趣旨を逸脱しない範囲で適宜変更することが可能である。
【００９４】
以上、実施の形態を参照して本願発明を説明したが、本願発明は上記によって限定されるものではない。本願発明の構成や詳細には、発明のスコープ内で当業者が理解し得る様々な変更をすることができる。
【００９５】
この出願は、２０１５年３月１７日に出願された日本出願特願２０１５−０５３０５１を基礎とする優先権を主張し、その開示の全てをここに取り込む。
【符号の説明】
【００９６】
１０  通信装置
１１  緊急情報受信部
１２  緊急情報配信部
２０  同報配信サーバ
３０  通信端末
４０  非３ＧＰＰネットワーク
５０  ３ＧＰＰネットワーク
６０  ＵＥ
７０  ＵＥ
７１  ３ＧＰＰ通信部
７２  ＷＬＡＮ通信部
７３  緊急情報処理制御部
７４  登録部
７５  緊急通知表示部
７６  緊急通知部
８０  ｅＮＢ
９０  ＭＭＥ
１００  ＣＢＣ
１１０  ＴＷＡＮ装置
１１１  無線ＬＡＮ通信部
１１２  緊急情報処理部
１１３  加入者認証部
１１４  ゲートウェイ通信部
１２０  ＣＢＥ
１３０  ＰＧＷ
１３１  緊急通報処理部
１３２  制御信号処理部
１３３  ユーザプレーン処理部
１４０  ＡＡＡサーバ
１４１  緊急通報処理部
１４２  加入者認証部
【図１】
2016147600.tif 000003
【図２】
2016147600.tif 000004
【図３】
2016147600.tif 000005
【図４】
2016147600.tif 000006
【図５】
2016147600.tif 000007
【図６】
2016147600.tif 000008
【図７】
2016147600.tif 000009
【図８】
2016147600.tif 000010
【図９】
2016147600.tif 000011
【図１０】
2016147600.tif 000012
【図１１】
2016147600.tif 000013
【図１２】
2016147600.tif 000014
【図１３】
2016147600.tif 000015
【図１４】
2016147600.tif 000016
【図１５】
2016147600.tif 000017
【図１６】
2016147600.tif 000018
【図１７】
2016147600.tif 000019
【図１８】
2016147600.tif 000020
【図１９】
2016147600.tif 000021
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
非３ＧＰＰネットワークに配置された通信装置であって、
３ＧＰＰネットワークに配置された同報配信サーバから配信される緊急情報を受信する緊急情報受信手段と、
前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信する緊急情報配信手段と、を備える通信装置。
【請求項２】
前記緊急情報受信手段は、
前記３ＧＰＰネットワークに配置されたＣＢＣから配信される緊急情報を受信する、請求項１に記載の通信装置。
【請求項３】
前記緊急情報受信手段は、前記ＣＢＣから配信される緊急情報を、ＰＧＷ、ＡＡＡサーバもしくはＭＭＥを介して受信する、請求項２に記載の通信装置。
【請求項４】
前記緊急情報配信手段は、
自装置が形成する無線ＬＡＮ通信エリア内に位置する前記通信端末へ、前記緊急情報を配信する、請求項１乃至３のいずれか１項に記載の通信装置。
【請求項５】
前記緊急情報配信手段は、
前記緊急情報に示される配信エリアと、前記通信装置が形成する通信エリアとを比較して、前記緊急情報を前記通信端末へ配信するか否かを判定する、請求項１乃至４のいずれか１項に記載の通信装置。
【請求項６】
非３ＧＰＰネットワークを介して通信を行う通信端末であって、
前記非３ＧＰＰネットワークに配置された通信装置が管理するマルチキャストグループへの登録を行う登録手段と、
３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信する同報配信通信手段と、を備える通信端末。
【請求項７】
前記登録手段は、
前記３ＧＰＰネットワークへＡｔｔａｃｈした際に前記３ＧＰＰネットワークに配置されたノード装置から送信された前記マルチキャストアドレスを受信する、請求項６に記載の通信端末。
【請求項８】
前記登録手段は、
前記通信端末が、前記非３ＧＰＰネットワークに配置された通信装置を介して前記３ＧＰＰネットワークに配置された認証サーバにおいて認証された後に、前記非３ＧＰＰネットワークに配置された通信装置を介して前記マルチキャストアドレスを受信する、請求項７に記載の通信端末。
【請求項９】
非３ＧＰＰネットワークに配置された通信装置における情報配信方法であって、
３ＧＰＰネットワークに配置された同報配信サーバから配信される緊急情報を受信し、
前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信する、情報配信方法。
【請求項１０】
非３ＧＰＰネットワークを介して通信を行う通信端末における情報受信方法であって、
前記非３ＧＰＰネットワークに配置された通信装置が管理するマルチキャストグループへ登録し、
３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信する、情報受信方法。
【請求項１１】
非３ＧＰＰネットワークに配置された通信装置であるコンピュータに実行させるプログラム、
３ＧＰＰネットワークに配置された同報配信サーバから配信される緊急情報を受信し、
前記緊急情報をマルチキャストアドレスを宛先に設定して配信することによって、非３ＧＰＰネットワークに配置された通信端末であって、事前に前記マルチキャストアドレスと関連付けられているマルチキャストグループに登録された前記通信端末に対して前記緊急情報を配信することをコンピュータに実行させるプログラム。
【請求項１２】
非３ＧＰＰネットワークを介して通信を行う通信端末であるコンピュータに実行させるプログラム、
前記非３ＧＰＰネットワークに配置された通信装置が管理するマルチキャストグループへ登録し、
３ＧＰＰネットワークに配置された同報配信サーバから配信された緊急情報を受信した非３ＧＰＰネットワークに配置された通信装置が、前記マルチキャストグループに関連づけられたマルチキャストアドレスへ送信した前記緊急情報を受信することをコンピュータに実行させるプログラム。
【国際調査報告】
2016147600.tif 000022
2016147600.tif 000023
2016147600.tif 000024
2016147600.tif 000025